(57)【要約】【課題】眺望性を維持しつつも直達光を遮断して太陽側に反射させることができると共に、直達光の利用性を高めることができる再帰反射窓を提供する。【解決手段】再帰反射窓１〜３は、第１及び第２の透明性板材１０ａ，１０ｂと、第１及び第２の透明性板材１０ａ，１０ｂの間に配置される透明性の第１プリズム３０と、第１プリズム３０の第２の辺３０ｂに対向して設置され、可視光及び赤外線の反射率が７０％以上となる反射状態と、可視光及び赤外線の反射率が３０％以下となる非反射状態とで切替可能な切替部材５０とを備えている。第１プリズム３０は、切替部材５０が反射状態であるときに、所定角度以上で進入した光を、切替部材５０及び第３の辺３０ｃでの反射を経て、進入時と略同じ角度で第１の透明性板材１０ａから出射させ、所定角度未満で進入した光のうち、第３の辺３０ｃに到達するものを透過させて、第２の透明性板材１０ｂから出射させる。【選択図】図１
2019139040.tif 000002
【特許請求の範囲】
【請求項１】
互いに略平行配置される第１及び第２の透明性板材と、
前記第１及び第２の透明性板材の間に配置されると共に、断面視して第１の透明性板材に沿う第１の辺と前記第１の辺に対して角度を有する第２及び第３の辺からなる透明性の三角柱プリズムと、
前記第２及び第３の辺のうち下方側の辺となる第２の辺に対向して設置され、可視光及び赤外線の反射率が７０％以上となる反射状態と、可視光及び赤外線の反射率が３０％以下となる非反射状態とで切替可能な切替部材と、を備え、
前記三角柱プリズムは、前記切替部材が反射状態であるときに、
前記第１の透明性板材の法線に対する角度が所定角度以上で前記第１の透明性板材に入射して前記第１の辺から当該三角柱プリズム内に進入した光を、前記切替部材及び前記第３の辺での反射を経て、進入時と略同じ角度で前記第１の透明性板材から出射させ、
前記法線に対する角度が所定角度未満で前記第１の透明性板材に入射して前記第１の辺から当該三角柱プリズム内に進入した光のうち、前記第３の辺に到達するものを透過させて、前記第２の透明性板材から出射させる
ことを特徴とする再帰反射窓。
【請求項２】
断面視状態で、前記三角柱プリズムと同一形状であり、前記第２の透明性板材に接する第４の辺と前記第４の辺に対して角度を有する第５及び第６の辺からなり、前記三角柱プリズムと点対称となる向きに配置された透明性の第２三角柱プリズムと、
前記第１及び第２の透明性板材、前記三角柱プリズム、前記第２三角柱プリズム、及び前記切替部材を有した平板体の左右位置を維持したまま上下方向に回転可能とする回転機構と、をさらに備え、
前記切替部材は、
前記三角柱プリズムの前記第２の辺に接して設けられ、可視光及び赤外線の反射率が７０％以上となる反射層と、
当該反射層の裏面側に設けられて前記第２三角柱プリズムの前記第５の辺に対して離間すると共に可視光及び赤外線の吸収率が７０％以上となる吸収層と、を有し、
前記回転機構による回転によって、前記反射状態と、前記非反射状態である吸収状態とで切り替えられる
ことを特徴とする請求項１に記載の再帰反射窓。
【請求項３】
前記切替部材は、白濁化した前記反射状態と透明化した非反射状態とが、温度環境、光照射環境、若しくは電圧印加状況に応じて切り替えられる部材、又は白濁化した前記反射状態と黒色化した非反射状態とが、磁気泳動式によって切り替えられる部材によって構成されている
ことを特徴とする請求項１に記載の再帰反射窓。
【請求項４】
前記切替部材は、透明性の中空部材によって構成され、白色又は銀色液体が封入された前記反射状態と、透明性液体又は黒色系液体が封入された前記非反射状態とが切替可能とされている
ことを特徴とする請求項１に記載の再帰反射窓。
【発明の詳細な説明】
【技術分野】
【０００１】
本発明は、再帰反射窓に関する。
【背景技術】
【０００２】
太陽光は凡そ半分の可視光と凡そ半分の赤外線とからなっており、夏の冷房需要を抑えるために太陽光線の可視光を通しながら赤外線をカットする窓が提案されている。赤外線をカットするには赤外線を吸収する方法と反射する方法とがあるが、前者では窓が熱くなり窓から熱放射するため後者の反射する方法が有効である。しかしながら、赤外線を単純に反射する窓は、上から到達する太陽光の熱線を下向きに反射するため、建物の前の地面を温めてヒートアイランド現象につながってしまう。
【０００３】
このような問題に対して、赤外線を上方（太陽側）に向けて反射する特殊フィルムが提案されている（例えば特許文献１参照）。このフィルムは、赤外線帯域の光を反射すると共に可視光帯域の光を透過する光学機能層を例えば断面ジグザグ状に有している。このフィルムにおいて、可視光は光学機能層を透過して室内に取り込まれ、赤外線についてはジグザク状の光学機能層によって太陽側に反射される。
【０００４】
しかし、特許文献１に記載のフィルムは、可視光を透過することから窓の外側の景色について視認可能となるものの、太陽からの可視光も透過するため、依然としてブラインド等の直達光を遮る手段が必要となってしまう。
【０００５】
そこで、所定以上の入射角の光が全反射するように傾斜を付けた透明部分と、その光が入射してきた方向に反射するように設けられた鏡面とを備えた選択透過反射材が提案されている（例えば特許文献２参照）。この選択透過反射材によれば、所定以上の入射角で到達した太陽からの直達光を太陽側に反射させると共に、所定未満の入射角で到達する光については透過させることができ、直達光を遮る別手段を不要とすると共に窓の外側の景色に関する眺望性を確保することができる。
【先行技術文献】
【特許文献】
【０００６】
【特許文献１】特開２０１４−１４２６６９号公報
【特許文献２】特開２００３−２０２１５９号公報
【発明の概要】
【発明が解決しようとする課題】
【０００７】
しかし、特許文献２に記載の選択透過反射材は、太陽からの直達光を単に太陽側に反射させるだけであるため、直達光を取り込みたくないときには良いが、直達光を室内に取り込んで照明装置を使用することなく室内を明るくしたい場合などには、直達光を利用できなくなり、直達光の利用性を低下させてしまうことになる。
【０００８】
本発明は、このような問題を解決するためになされたものであり、その目的とするところは、眺望性を維持しつつも直達光を遮断して太陽側に反射させることができると共に、直達光の利用性を高めることができる再帰反射窓を提供することにある。
【課題を解決するための手段】
【０００９】
本発明に係る再帰反射窓は、第１及び第２の透明性板材と、第１及び第２の透明性板材の間に配置される透明性の三角柱プリズムと、反射状態と非反射状態とで切替可能な切替部材とを備えている。三角柱プリズムは切替部材が反射状態であるときに、所定角度以上で進入した光を進入時と略同じ角度で第１の透明性板材から出射させ、所定角度未満で進入した光のうち第３の辺に到達するものを透過させて第２の透明性板材から出射させる。
【発明の効果】
【００１０】
本発明によれば、三角柱プリズムは、切替部材が反射状態であるときに、所定角度以上で入射した光を、切替部材及び第３の辺での反射を経て、進入時と略同じ角度で第１の透明性板材から出射させ、所定角度未満で進入した光のうち、第３の辺に到達するものを透過させて、第２の透明性板材から出射させる。このため、太陽からの直達光については太陽側に反射させると共に所定角度未満の景色等の光については取り込むことができる。さらに、切替部材については反射状態のみならず非反射状態に切替可能であるため、直達光を太陽側に反射させるだけではなく、非反射状態にして直達光の利用性を高めることができる。従って、眺望性を維持しつつも直達光を遮断して太陽側に反射させることができると共に、直達光の利用性を高めることができる再帰反射窓を提供することができる。
【図面の簡単な説明】
【００１１】
【図１】本発明の第１実施形態に係る再帰反射窓を示す概略側面図である。
【図２】第１実施形態に係る再帰反射窓を示す斜視図であって、回転機構を示すものである。
【図３】図３は、第１実施形態に係る再帰反射窓の光路を示す概念図であり、（ａ）は第１光路を示し、（ｂ）は第２光路を示し、（ｃ）は第３光路を示し、（ｄ）は第４及び第５光路を示している。
【図４】第１実施形態に係る再帰反射窓を上下回転させたときの概略側面図である。
【図５】第１実施形態に係る再帰反射窓を上下回転させたときの光路を示す概念図であり、（ａ）は第６光路を示し、（ｂ）は第７光路を示し、（ｃ）は第８光路を示している。
【図６】プリズムの頂角を２５°とした場合において、第１底角の角度及びプリズムの屈折率を変化させたときの所定角度（１°単位に切り上げたもの）との関係を示す図表である。
【図７】プリズムの頂角を３０°とした場合において、第１底角の角度及びプリズムの屈折率を変化させたときの所定角度との関係を示す図表である。
【図８】プリズムの頂角を３５°とした場合において、第１底角の角度及びプリズムの屈折率を変化させたときの所定角度との関係を示す図表である。
【図９】第２実施形態に係る再帰反射窓を示す概略側面図である。
【図１０】第３実施形態に係る再帰反射窓を示す一部構成図である。
【図１１】再帰反射窓を傾斜面に用いたときの例を示す概略側面図である。
【発明を実施するための形態】
【００１２】
以下、本発明を好適な実施形態に沿って説明する。なお、本発明は以下に示す実施形態に限られるものではなく、本発明の趣旨を逸脱しない範囲において適宜変更可能である。また、以下に示す実施形態においては、一部構成の図示や説明を省略している箇所があるが、省略された技術の詳細については、以下に説明する内容と矛盾点が発生しない範囲内において、適宜公知又は周知の技術が適用されていることはいうまでもない。
【００１３】
図１は、本発明の第１実施形態に係る再帰反射窓を示す概略側面図である。図１に示す例に係る再帰反射窓１は、概略的に２枚の透明性板材１０と、周端部材２０と、複数の第１プリズム（三角柱プリズム）３０と、複数の第２プリズム（第２三角柱プリズム）４０と、複数の切替部材５０とを備えている。
【００１４】
２枚の透明性板材１０は、互いに略平行配置される透明性の板材である。これらの透明性板材１０は例えばガラス材によって構成されており、２枚の透明性板材１０のうち図１に示す状態において室外側が第１の透明性板材１０ａとなり、室内側が第２の透明性板材１０ｂとなる。
【００１５】
周端部材２０は、２枚の透明性板材１０の周端部において２枚の透明性板材１０の間に介在するものである。２枚の透明性板材１０の周端部に周端部材２０が設けられることによって、２枚の透明性板材１０と周端部材２０とによって閉じられた内部空間が形成される。本実施形態において内部空間は断熱性の観点から真空状態とされるが、これに限らず、空気、アルゴン又はクリプトンなどの気体で満たされていてもよい。
【００１６】
複数の第１プリズム３０は、第１及び第２の透明性板材１０ａ，１０ｂの間に配置されると共に、それぞれが断面視して三角形状となるプリズム（すなわち三角柱形状のプリズム）である。これらの第１プリズム３０は、断面視して第１の辺３０ａが第１の透明性板材１０ａに沿うように第１の透明性板材１０ａに面して配置されている。特に第１実施形態において第１の辺３０ａは第１の透明性板材１０ａに接触状態で設けられている。第１プリズム３０の第２の辺３０ｂと第３の辺３０ｃは、第１の辺３０ａに対して所定の角度を有して延びている。第２の辺３０ｂは、第３の辺３０ｃよりも鉛直下方側に位置する辺である。
【００１７】
本実施形態において第１プリズム３０は、中実のガラス材や樹脂材によって構成されているが、これに限らず、第１プリズム３０の外壁を構成するプリズム壁と、プリズム壁の内部に封入される透明性の液体からなる内部部材とによって構成されていてもよい。なお、内部部材は透明性の液体に限らず、透明性のゲル状や固体であってもよい。加えて、第１の透明性板材１０ａがプリズム壁の一部を兼用するようになっていてもよい。
【００１８】
複数の第２プリズム４０は、それぞれが断面視して三角形状となるプリズム（すなわち三角柱形状のプリズム）であって、第１プリズム３０と同形状且つ同屈折率となっている。これらの第２プリズム４０は、第１プリズム３０を１８０°回転させた点対称となる向きとなっており、それぞれの第１プリズム３０に対して１つずつ設けられている。ここで、第１プリズム３０のみしか有しない場合には、第１プリズム３０によって光が屈折して、室内側から視認したときの景色には歪みが生じる。しかし、第２プリズム４０が第１プリズム３０と対になって設けられることにより、室内側から視認したときの景色の歪みが抑えられることとなる（像回復効果を有することとなる）。なお、第２プリズム４０は、第１プリズム３０と同様にプリズム壁及び内部部材から構成されてもよいし、中実の部材によって構成されてもよい。
【００１９】
具体的に第２プリズム４０は、それぞれが第４の辺４０ａが第２の透明性板材１０ｂに沿うように第２の透明性板材１０ｂに面して配置されている。第２プリズム４０の第５の辺４０ｂと第６の辺４０ｃは、第４の辺４０ａに対して所定の角度を有して延びている。第５の辺４０ｂは、第６の辺４０ｃよりも鉛直上方側に位置する。このような第２プリズム４０は、第６の辺４０ｃが水平方向に隣接する第１プリズム３０の第３の辺３０ｃと対向しており、第５の辺４０ｂが上下方向に隣接する第１プリズム３０の第２の辺３０ｂと対向している。
【００２０】
複数の切替部材５０は、第１プリズム３０の第２の辺３０ｂに対して対向して配置される部材であって、反射状態と非反射状態とで切替可能なものである。切替部材５０は、反射状態において可視光及び赤外線の反射率が７０％以上となり、非反射状態において可視光及び赤外線の反射率が３０％以下となる。
【００２１】
特に第１実施形態において切替部材５０は、一面が可視光及び赤外線の反射率が７０％以上となる反射層５１とされ、第１プリズム３０の第２の辺３０ｂに対して接して設けられている。一方、切替部材５０の他面（反射層５１の裏面側）は可視光及び赤外線の吸収率が７０％以上となる吸収層５２とされ、第２プリズム４０の第５の辺４０ｂに離間して対向配置されている。
【００２２】
また、本実施形態において第２プリズム４０は、第１プリズム３０及び第２の透明性板材１０ｂに対して微細な隙間を有して配置されている。これらの間には、微細な隙間が維持されるように微小な柱や粒などの介在部材が介在されている。この結果、再帰反射窓１は、第１プリズム３０、介在部材、第２プリズム４０、介在部材、及び第２の透明性板材１０ｂの順の積層構造となり、たとえ内部空間が真空状態とされていたとしても、その圧力に耐えるように支えられることとなる。
【００２３】
図２は、第１実施形態に係る再帰反射窓１を示す斜視図であって、回転機構を示すものである。なお、以下の説明において、再帰反射窓１のうち回転機構６０を除く構成（２枚の透明性板材１０、周端部材２０、第１プリズム３０、第２プリズム４０及び切替部材５０）を積層体（平板体）Ｌと称する。
【００２４】
図２に示すように、再帰反射窓１は、積層体Ｌに加えて回転機構６０を備えている。回転機構６０は、ピボット６１と、窓枠６２と、不図示のロック手段とを備えており、積層体Ｌの左右位置を維持したまま上下方向に回転可能となっている。
【００２５】
具体的に説明すると、ピボット６１は積層体Ｌの上下に延びる左右辺の中央部に設けられる回転軸部材である。窓枠６２は、積層体Ｌが嵌め込まれる矩形状の枠部材であって、上下に延びる左右辺の中央部にピボット６１が挿入される回転孔（図示せず）が設けられている。不図示のロック手段は、積層体Ｌを窓枠６２に嵌め込んだ状態で固定するためのものである。
【００２６】
このような構成であるため、ユーザはロック手段を解除し、ピボット６１を中心にして積層体Ｌを回転させることができる。回転後、ユーザは、ロック手段により積層体Ｌを窓枠６２にロックして固定する。このように、積層体Ｌは、ピボット６１を中心に上下回転可能となっており、回転時においては積層体Ｌの左右位置を維持したまま一方の板材１０ａと他方の板材１０ｂとの相対位置を入れ替える上下回転を行うことができる。
【００２７】
ここで、本実施形態において第１プリズム３０は、以下の光路ＯＰ１〜ＯＰ５が実現されるように、屈折率や三角の各内角が設定されている。図３は、第１実施形態に係る再帰反射窓１の光路ＯＰ１〜ＯＰ５を示す概念図であり、（ａ）は第１光路ＯＰ１を示し、（ｂ）は第２光路ＯＰ２を示し、（ｃ）は第３光路ＯＰ３を示し、（ｄ）は第４及び第５光路ＯＰ４，ＯＰ５を示している。
【００２８】
第１〜第５光路ＯＰ１〜ＯＰ５のうち、第１〜第３光路ＯＰ１〜ＯＰ３は、第１の透明性板材１０ａの法線Ｎに対する角度（すなわち立面状態での使用時における仰角）が所定角度α以上で第１の透明性板材１０ａに入射して第１の辺３０ａから三角柱プリズム３０内に進入した光についての光路である。
【００２９】
図３（ａ）に示すように、第１光路ＯＰ１は、所定角度α以上で進入した光がまず第２の辺３０ｂに到達し、反射層５１で全反射（７０％以上の反射）して第３の辺３０ｃに至り、第３の辺３０ｃにおいて全反射（理論上全反射）して、進入角度α１と略同じ角度α１’で第１の透明性板材１０ａから太陽側に向けて出射される光路である。
【００３０】
図３（ｂ）に示すように、第２光路ＯＰ２は、所定角度α以上で進入した光がまず第３の辺３０ｃに到達し、第３の辺３０ｃにおいて全反射（理論上全反射）して第２の辺３０ｂに至り、反射層５１で全反射（７０％以上の反射）して、進入角度α２と略同じ角度α２’で第１の透明性板材１０ａから太陽側に向けて出射される光路である。
【００３１】
図３（ｃ）に示すように、第３光路ＯＰ３は、進入した光がまず第３の辺３０ｃに到達し、第３の辺３０ｃにおいて全反射（理論上全反射）して第１の辺３０ａに至り、第１の辺３０ａにおいて全反射（理論上全反射）して第２の辺３０ｂに至り、反射層５１で全反射（７０％以上の反射）した後に、第１の辺３０ａ及び第３の辺３０ｃにおいて全反射（理論上全反射）して、進入角度α３と略同じ角度α３’で第１の透明性板材１０ａから太陽側に向けて出射される光路である。
【００３２】
このような第１〜第３光路ＯＰ１〜ＯＰ３が実現されるためには、第１及び第２光路ＯＰ１，ＯＰ２について第３の辺３０ｃへの入射角は臨界角以上である必要がある。また、第３光路ＯＰ３について第１及び第３の辺３０ａ，３０ｃへの入射角は臨界角以上である必要がある。
【００３３】
図３（ｄ）に示すように、第４及び第５光路ＯＰ４，ＯＰ５は、上記仰角（例えば角度α４，α５）が所定角度α未満で第１の透明性板材１０ａに入射して第１の辺３０ａから当該三角柱プリズム３０内に進入した光についての光路である。第１プリズム３０は、仰角が所定角度α未満で進入した光のうち第３の辺３０ｃに到達するものを全透過（理論上全透過）させて、第２の透明性板材１０ｂ（図１参照）を通じて出射させる。このとき、第４及び第５光路ＯＰ４，ＯＰ５について第３の辺３０ｃへの入射角は臨界角未満である必要がある。
【００３４】
図４は、第１実施形態に係る再帰反射窓１を上下回転させたときの概略側面図である。図４に示すように積層体Ｌを上下回転させた場合において、第２プリズム４０は、後述の光路ＯＰ４〜ＯＰ８が実現されるように、屈折率や三角の各内角が設定されている。このうち、第４及び第５光路ＯＰ４，ＯＰ５は、図３を参照して説明したものと同じであるため、説明を省略する。
【００３５】
図５は、第１実施形態に係る再帰反射窓１を上下回転させたときの光路ＯＰ６〜ＯＰ８を示す概念図であり、（ａ）は第６光路ＯＰ６を示し、（ｂ）は第７光路ＯＰ７を示し、（ｃ）は第８光路ＯＰ８を示している。第６〜第８光路ＯＰ６〜ＯＰ８は、いずれも第２の透明性板材１０ｂの法線Ｎに対する角度（すなわち立面状態での使用時における仰角）が所定角度α以上で第２の透明性板材１０ｂに入射して第４の辺４０ａから第２三角柱プリズム４０内に進入する光についての光路である。
【００３６】
図５（ａ）に示すように、第６光路ＯＰ６は、所定角度α以上で進入した光が第５の辺４０ｂに到達し、第５の辺４０ｂから出射されて吸収層５２に至る光路である。
【００３７】
図５（ｂ）に示すように、第７光路ＯＰ７は、所定角度α以上で進入した光がまず第６の辺４０ｃに到達し、第６の辺４０ｃにおいて全反射（理論上全反射）して第５の辺４０ｂに至り、第５の辺４０ｂから出射されて吸収層５２に至る光路である。
【００３８】
図５（ｃ）に示すように、第８光路ＯＰ８は、所定角度α以上で進入した光がまず第６の辺４０ｃに到達し、第６の辺４０ｃにおいて全反射（理論上全反射）して第４の辺４０ａに至り、第４の辺４０ａにおいて全反射（理論上全反射）して第５の辺４０ｂに至り、第５の辺４０ｂから出射されて吸収層５２に至る光路である。
【００３９】
このような第６〜第８光路ＯＰ６〜ＯＰ８が実現されるためには、第６光路ＯＰ６の第５の辺４０ｂへの入射角は臨界角未満である必要がある。また、第７光路ＯＰ７の第６の辺４０ｃへの入射角は臨界角以上であり、全反射後の第５の辺４０ｂへの入射角は臨界角未満である必要がある。さらに、第８光路ＯＰ８の第６の辺４０ｃへの入射角は臨界角以上であり、全反射後の第４の辺４０ａへの入射角は臨界角以上であり、更に全反射後の第５の辺４０ｂへの入射角は臨界角未満である必要がある。
【００４０】
ここで、積層体Ｌを上下回転させた場合には、第６〜第８光路ＯＰ６〜ＯＰ８が吸収層５２に至ることから、切替部材５０は直達光によって効率的に加熱されることとなる。切替部材５０が加熱されると、図４に示すように、切替部材５０と接触する第１プリズム３０も加熱され、更に第１プリズム３０に接触する第１の透明性板材１０ａについても加熱される。よって、第１の透明性板材１０ａを加熱して室内側に暖房効果をもたらすことができる。
【００４１】
また、上記第１プリズム３０と第２プリズム４０とは同一屈折率及び同一形状である。このため、以下に説明するプリズム３０，４０を採用すれば、上記した第１〜第８光路ＯＰ１〜ＯＰ８を実現することができる。
【００４２】
なお、以下の説明において、第１の辺３０ａと第３の辺３０ｃとがなす角（第４の辺４０ａと第６の辺４０ｃとがなす角）を頂角ＡＡ（図１参照）と称し、第２の辺３０ｂと第３の辺３０ｃとがなす角（第５の辺４０ｂと第６の辺４０ｃとがなす角）を第１底角ＢＡ１（図１参照）と称し、第１の辺３０ａと第２の辺３０ｂとがなす角（第４の辺４０ａと第５の辺４０ｂとがなす角）を第２底角ＢＡ２（図１参照）と称する。
【００４３】
図６は、プリズム３０，４０の頂角ＡＡを２５°とした場合において、第１底角ＢＡ１の角度及びプリズム３０，４０の屈折率を変化させたときの所定角度α（１°単位に切り上げたもの）との関係を示す図表である。
【００４４】
図６に示すように、プリズム３０，４０の材質が屈折率１．１７の多孔質材等である場合、第１底角ＢＡ１が１０５°、１００°、９５°、９０°、８５°、８０°、及び７５°の全てにおいて、所定角度αは４１°となる。
【００４５】
また、プリズム３０，４０の材質が屈折率１．２５の多孔質材等である場合、第１底角ＢＡ１が１０５°、１００°、９５°、９０°、８５°、８０°、及び７５°の全てにおいて、所定角度αは３７°となる。
【００４６】
プリズム３０，４０の材質が屈折率１．３０の多孔質材等である場合、第１底角ＢＡ１が１０５°及び７５°において、所定角度αは４１°となり、第１底角ＢＡ１が１００°、９５°、９０°、８５°、及び８０°の全てにおいて、所定角度αは３４°となる。
【００４７】
プリズム３０，４０の材質が屈折率１．３３のフッ素ゴムに水を封入したものである場合、第１底角ＢＡ１が１０５°、１００°、９５°、９０°、８５°、８０°、及び７５°の順に、所定角度αは４４°、３７°、３３°、３３°、３３°、３７°、及び４４°となる。
【００４８】
プリズム３０，４０の材質が屈折率１．３７のフッ素樹脂に２０％食塩水を封入したものである場合、第１底角ＢＡ１が１０５°、１００°、９５°、９０°、８５°、８０°、及び７５°の順に、所定角度αは４９°、４１°、３３°、３１°、３３°、４１°、及び４９°となる。
【００４９】
プリズム３０，４０の材質が屈折率１．４１のアクリルにシリコーンを封入したものである場合、第１底角ＢＡ１が１０５°、１００°、９５°、９０°、８５°、８０°、及び７５°の順に、所定角度αは５４°、４５°、３７°、３０°、３７°、４５°、及び５４°となる。
【００５０】
プリズム３０，４０の材質が屈折率１．４８の硼珪酸ガラスである場合、第１底角ＢＡ１が１０５°、１００°、９５°、９０°、８５°、８０°、及び７５°の順に、所定角度αは６５°、５３°、４４°、３５°、４４°、５３°、及び６５°となる。
【００５１】
プリズム３０，４０の材質が屈折率１．５２のソーダ石灰ガラスである場合、第１底角ＢＡ１が１０５°、１００°、９５°、９０°、８５°、８０°、及び７５°の順に、所定角度αは７３°、５８°、４８°、３８°、４８°、５８°、及び７３°となる。
【００５２】
プリズム３０，４０の材質が屈折率１．５９のポリカーボネートである場合、第１底角ＢＡ１が１０５°、１００°、９５°、９０°、８５°、８０°、及び７５°の順に、所定角度αはＮＧ（ＮＧとは９０°以上となってしまい、製品上意味をなさない数値となってしまうことを意味する。以下同じ。）、７０°、５６°、４５°、５６°、７０°、及びＮＧとなる。
【００５３】
ここで、所定角度αは、小さい方がより広い角度範囲で太陽からの直達光を太陽側に反射することができると共に吸収層５２に導くことができるため、好ましいといえる。一方、頂角ＡＡが小さくて切替部材５０同士の上下間隔が広く、かつ外景は室内に透過されることが、窓として望ましい。従って、ある頂角ＡＡに対して最小所定角度αを持つこと、及び、所定角度αは設置地域や方角において、時間、季節も考慮して太陽が取りえる高度範囲を適切にカバーすることが望ましい。また、図６に示すように、屈折率が略１．４１であって、第１底角ＢＡ１が９０°であるときに、所定角度αは最小値（３０°）となる。よって、プリズム３０，４０は、屈折率が略１．４１であって、第１底角ＢＡ１が９０°であることが好ましいといえる。しかしながら、プリズム３０，４０の材質等の問題から、プリズム３０，４０は、屈折率が略１．４１及び第１底角ＢＡ１が９０°でなくともよく、所定角度αの最小値＋１０°（４０°）までの所定角度αが実現されるように、屈折率と内角とが設定されていてもよい。
【００５４】
すなわち、図６に示す例においては、屈折率１．２５で第１底角ＢＡ１が７５°以上１０５°以下、屈折率が１．３０及び１．３３で第１底角ＢＡ１が８０°以上１００°以下、屈折率が１．３７及び１．４１で第１底角ＢＡ１が８５°以上９５°以下、屈折率が１．４８及び１．５２で第１底角ＢＡ１が９０°のときに、所定角度αを４０°以下にでき、好ましいといえる。
【００５５】
なお、本実施形態においてプリズム３０，４０は、所定角度αの最小値＋１０°の所定角度αが実現されるように、屈折率と内角とが設定されるものに限らない。例えば上記した第１〜第８光路ＯＰ１〜ＯＰ８を実現するためには頂角ＡＡが２５°であるときに屈折率が１．５９以上、第１底角ＢＡ１が１０５°以上且つ７５°以下とならないようにすればよい。すなわち、プリズム３０，４０は設置地域や方角において時間、季節も考慮して太陽が取りえる高度範囲の仰角において、第１〜第８光路ＯＰ１〜ＯＰ８が実現される屈折率及び角度設定となっていてもよいものである。なお、プリズム３０，４０は、太陽が取りえる高度範囲の全てにおいて第１〜第８光路ＯＰ１〜ＯＰ８が実現される屈折率及び角度設定となっている場合に限らず、太陽が取りえる高度範囲の一部（例えば設置地域の最高高度）のみで第１〜第８光路ＯＰ１〜ＯＰ８が実現される屈折率及び角度設定となっていてもよいものである。
【００５６】
ここで、図６では頂角ＡＡが２５°であるときの所定角度αを示したが、頂角ＡＡの角度が変化すると、所定角度αの値も変化する。
【００５７】
図７は、プリズム３０，４０の頂角ＡＡを３０°とした場合において、第１底角ＢＡ１の角度及びプリズム３０，４０の屈折率を変化させたときの所定角度αとの関係を示す図表である。
【００５８】
図７に示すように、プリズム３０，４０の材質が屈折率１．１７の多孔質材等である場合、第１底角ＢＡ１が１０５°、１００°、９５°、９０°、８５°、８０°、及び７５°の全てにおいて、所定角度αは３５°となる。
【００５９】
また、プリズム３０，４０の材質が屈折率１．２５の多孔質材等である場合、第１底角ＢＡ１が１０５°、１００°、９５°、９０°、８５°、８０°、及び７５°の全てにおいて、所定角度αは３０°となる。
【００６０】
プリズム３０，４０の材質が屈折率１．３０の多孔質材等である場合、第１底角ＢＡ１が１０５°及び７５°において、所定角度αは３３°となり、第１底角ＢＡ１が１００°、９５°、９０°、８５°、及び８０°の全てにおいて、所定角度αは２７°となる。
【００６１】
プリズム３０，４０の材質が屈折率１．３３のフッ素ゴムに水を封入したものである場合、第１底角ＢＡ１が１０５°、１００°、９５°、９０°、８５°、８０°、及び７５°の順に、所定角度αは３７°、２９°、２６°、２６°、２６°、２９°、及び３７°となる。
【００６２】
プリズム３０，４０の材質が屈折率１．３７のフッ素樹脂に２０％食塩水を封入したものである場合、第１底角ＢＡ１が１０５°、１００°、９５°、９０°、８５°、８０°、及び７５°の順に、所定角度αは４１°、３３°、２６°、２４°、２６°、３３°、及び４１°となる。
【００６３】
プリズム３０，４０の材質が屈折率１．４１のアクリルにシリコーンを封入したものである場合、第１底角ＢＡ１が１０５°、１００°、９５°、９０°、８５°、８０°、及び７５°の順に、所定角度αは４５°、３７°、２９°、２２°、２９°、３７°、及び４５°となる。
【００６４】
プリズム３０，４０の材質が屈折率１．４８の硼珪酸ガラスである場合、第１底角ＢＡ１が１０５°、１００°、９５°、９０°、８５°、８０°、及び７５°の順に、所定角度αは５３°、４４°、３５°、２７°、３５°、４４°、及び５３°となる。
【００６５】
プリズム３０，４０の材質が屈折率１．５２のソーダ石灰ガラスである場合、第１底角ＢＡ１が１０５°、１００°、９５°、９０°、８５°、８０°、及び７５°の順に、所定角度αは５８°、４８°、３８°、３０°、３８°、４８°、及び５８°となる。
【００６６】
プリズム３０，４０の材質が屈折率１．５９のポリカーボネートである場合、第１底角ＢＡ１が１０５°、１００°、９５°、９０°、８５°、８０°、及び７５°の順に、所定角度αは７０°、５６°、４５°、３５°、４５°、５６°、及び７０°となる。
【００６７】
このように、頂角ＡＡの角度が３０°である場合においても、屈折率が略１．４１で第１底角ＢＡ１が９０°であるときに、所定角度αは最小値（２２°）となる。このため、頂角ＡＡの角度が３０°である場合には、所定角度αが３２°以下となるように、プリズム３０，４０の屈折率及び内角が設定されることが好ましい。
【００６８】
図８は、プリズム３０，４０の頂角ＡＡを３５°とした場合において、第１底角ＢＡ１の角度及びプリズム３０，４０の屈折率を変化させたときの所定角度αとの関係を示す図表である。
【００６９】
図８に示すように、プリズム３０，４０の材質が屈折率１．１７の多孔質材等である場合、第１底角ＢＡ１が１０５°、１００°、９５°、９０°、８５°、８０°、及び７５°の全てにおいて、所定角度αは２９°となる。
【００７０】
また、プリズム３０，４０の材質が屈折率１．２５の多孔質材等である場合、第１底角ＢＡ１が１０５°、１００°、９５°、９０°、８５°、８０°、及び７５°の全てにおいて、所定角度αは２３°となる。
【００７１】
プリズム３０，４０の材質が屈折率１．３０の多孔質材等である場合、第１底角ＢＡ１が１０５°及び７５°において、所定角度αは２７°となり、第１底角ＢＡ１が１００°、９５°、９０°、８５°、及び８０°の全てにおいて、所定角度αは２１°となる。
【００７２】
プリズム３０，４０の材質が屈折率１．３３のフッ素ゴムに水を封入したものである場合、第１底角ＢＡ１が１０５°、１００°、９５°、９０°、８５°、８０°、及び７５°の順に、所定角度αは２９°、２２°、１９°、１９°、１９°、２２°、及び２９°となる。
【００７３】
プリズム３０，４０の材質が屈折率１．３７のフッ素樹脂に２０％食塩水を封入したものである場合、第１底角ＢＡ１が１０５°、１００°、９５°、９０°、８５°、８０°、及び７５°の順に、所定角度αは３３°、２６°、１９°、１７°、１９°、２６°、及び３３°となる。
【００７４】
プリズム３０，４０の材質が屈折率１．４１のアクリルにシリコーンを封入したものである場合、第１底角ＢＡ１が１０５°、１００°、９５°、９０°、８５°、８０°、及び７５°の順に、所定角度αは３７°、２９°、２２°、１４°、２２°、２９°、及び３７°となる。
【００７５】
プリズム３０，４０の材質が屈折率１．４８の硼珪酸ガラスである場合、第１底角ＢＡ１が１０５°、１００°、９５°、９０°、８５°、８０°、及び７５°の順に、所定角度αは４４°、３５°、２７°、１９°、２７°、３５°、及び４４°となる。
【００７６】
プリズム３０，４０の材質が屈折率１．５２のソーダ石灰ガラスである場合、第１底角ＢＡ１が１０５°、１００°、９５°、９０°、８５°、８０°、及び７５°の順に、所定角度αは４８°、３８°、３０°、２２°、３０°、３８°、及び４８°となる。
【００７７】
プリズム３０，４０の材質が屈折率１．５９のポリカーボネートである場合、第１底角ＢＡ１が１０５°、１００°、９５°、９０°、８５°、８０°、及び７５°の順に、所定角度αは５６°、４５°、３５°、２７°、３５°、４５°、及び５６°となる。
【００７８】
このように、頂角ＡＡの角度が３５°である場合においても、屈折率が略１．４１で第１底角ＢＡ１が９０°であるときに、所定角度αは最小値（１４°）となる。このため、頂角ＡＡの角度が３０°である場合には、所定角度αが２４°以下となるように、プリズム３０，４０の屈折率及び内角が設定されることが好ましい。
【００７９】
次に、本実施形態に係る再帰反射窓１の作用を図１〜５を参照して説明する。
【００８０】
まず、本実施形態に係る再帰反射窓１は、図１に示す状態において、第１プリズム３０の屈折率及び内角の設定によって、図３に示した第１〜第５光路ＯＰ１〜ＯＰ５が実現されるようになっている。
【００８１】
すなわち、第１の透明性板材１０ａに対して所定角度α以上で第１プリズム３０内に進入した光は、第１〜第３光路ＯＰ１〜ＯＰ３を形成して、進入時と略同じ角度で第１の透明性板材１０ａを通じて出射され、地面側へ反射されないこととなる。
【００８２】
さらに、第１の透明性板材１０ａに対して所定角度α未満で第１プリズム３０内に進入した光の一部は、第４及び第５光路ＯＰ４，ＯＰ５を形成する。このため、所定角度α未満で第１プリズム３０内に進入した光のうち第３の辺３０ｃに到達したものは、全透過して第２の透明性板材１０ｂから室内側へ出射される。
【００８３】
なお、所定角度α未満で第１プリズム３０内に進入した光のうち第２の辺３０ｂに到達したものは、全反射（反射層５１での全反射）や全透過を経て、一部が室内側へ出射され、残りは室外側へ出射される。
【００８４】
さらに、図２に示した回転機構６０を利用して積層体Ｌの左右位置を維持したまま上下方向に半回転させたとする。この場合、再帰反射窓１は、図４に示すように第２プリズム４０が室外側となる。再帰反射窓１は、この状態において図３に示した第４及び第５光路ＯＰ４，ＯＰ５並びに図５に示した第６〜第８光路ＯＰ６〜ＯＰ８が実現されるようになっている。
【００８５】
すなわち、第２の透明性板材１０ｂに対して所定角度α以上で第２プリズム４０内に進入した光は、第６〜第８光路ＯＰ６〜ＯＰ８を形成して、吸収層５２に太陽光を集められることとなる。これにより、第１プリズム３０を通じて第１の透明性板材１０ａを加熱して室内側に暖房効果をもたらすことができる。
【００８６】
さらに、第２の透明性板材１０ｂに対して所定角度α未満で第２プリズム４０内に進入した光の一部は、第４及び第５光路ＯＰ４，ＯＰ５を形成する。このため、所定角度α未満で第２プリズム４０内に進入した光は切替部材５０に遮られない限り、全透過して第１の透明性板材１０ａから室内側へ出射される。
【００８７】
なお、第１実施形態においては、切替部材５０が第１プリズム３０に接触すると共に、第１プリズム３０が第１の透明性板材１０ａに接触していることから、吸収層５２に集められた太陽光を利用して第１の透明性板材１０ａを加熱する方法を採用している。しかし、これに限らず、吸収層５２内に熱媒が流通しており、熱媒が加熱されて他の機器等に利用されるようになっていてもよい。この場合、切替部材５０と第１プリズム３０とが接触していなくともよいし、第１プリズム３０と第１の透明性板材１０ａとについても接触していなくともよい。
【００８８】
このようにして、本実施形態に係る再帰反射窓１によれば、第１プリズム３０は、切替部材５０が反射状態であるときに、所定角度α以上で入射した光を、切替部材５０及び第３の辺３０ｃでの反射を経て、進入時と略同じ角度で第１の透明性板材１０ａから出射させ、所定角度α未満で進入した光のうち、第３の辺３０ｃに到達するものを透過させて、第２の透明性板材１０ｂから出射させる。このため、太陽からの直達光については太陽側に反射させると共に所定角度α未満の景色等の光については取り込むことができる。さらに、切替部材５０については反射状態のみならず非反射状態に切替可能であるため、直達光を太陽側に反射させるだけではなく、非反射状態にして直達光の利用性を高めることができる。従って、眺望性を維持しつつも直達光を遮断して太陽側に反射させることができると共に、直達光の利用性を高めることができる再帰反射窓１を提供することができる。
【００８９】
また、第１プリズム３０等を有する積層体Ｌを上下方向に回転可能とする回転機構６０を有すると共に、切替部材５０は反射層５１と吸収層５２とを有し、回転機構６０による回転によって、反射状態と吸収状態とで切り替えられる。このため、回転機構６０によって直達光を遮断して太陽側に反射させる状態と、直達光を吸収して室内加熱等に利用する状態とを切り替えることができ、直達光の利用性を高めることができる。
【００９０】
次に、本発明の第２実施形態を説明する。第２実施形態に係る再帰反射窓は第１実施形態のものと同様であるが、一部構成が異なっている。なお、以下の説明において第１実施形態と同一又は同様の要素には同じ符号を付して説明を省略する。
【００９１】
図９は、第２実施形態に係る再帰反射窓を示す概略側面図である。図９に示すように、第２実施形態に係る再帰反射窓２において切替部材５０は、白濁化した反射状態と透明化した非反射状態（透過状態）とが、温度環境、光照射環境、又は電圧印加状況によって切り替えられる部材によって構成されている。このため、第２実施形態において切替部材５０が白濁化して反射状態となったときには直達光を太陽側へ反射し、透明化して非反射状態となったときには直達光を室内側に取り込むことができる。なお、以下の説明において非反射状態として透過状態を説明するが、必ずしも透過状態に限らず吸収状態であってもよい。
【００９２】
具体的に切替部材５０は、高温時や紫外線等の照射等を受けて色が変化するサーモクロミック、フォトクロミック、及び、エレクトロクロミック等の材料や電子ペーパー等の部品で構成されている。例えば、エレクトロクロミックの一種であるウムガラスは、電圧が印加されている時に透明となり、電圧が印加されていない時に白濁化して光を反射する。また、電子ペーパーに利用されている多くの技術、例えば磁気泳動式の白黒切替表示式のものも利用できる。
【００９３】
また、上記材料に限らず、切替部材５０は透明管と特定液体とによって構成されていてもよい。ここで、ＬＣＳＴ（Lower Critical Solution Temperature）性を持つ液体には、相分離温度未満で透明化し、相分離温度（曇点）以上で白濁化するものがある。例えば、Ｎ−イソプロピルアクリルアミド水溶液は体温近辺に曇点を持ち、それ未満では略１００％の透過率を有し、それ以上では略０％の透過率をもつ。このため、このような液体を透明管に封入して切替部材５０を構成するようにしてもよい。
【００９４】
次に、第２実施形態に係る再帰反射窓２の作用を説明する。
【００９５】
まず、第２実施形態に係る再帰反射窓２において切替部材５０が白濁化して反射状態となったとする。この場合、第１の透明性板材１０ａに対して所定角度α以上で第１プリズム３０内に進入した光は、第１実施形態と同様に、進入角度と略同じ角度で第１の透明性板材１０ａを通じて出射され、地面側へ反射されないこととなる。
【００９６】
さらに、第１の透明性板材１０ａに対して所定角度α未満で第１プリズム３０内に進入した光についても、第３の辺３０ｃに到達したものは、全透過して第２の透明性板材１０ｂから室内側へ出射される。
【００９７】
一方、切替部材５０が透明化して非反射状態となったとする。この場合、第１の透明性板材１０ａに対して所定角度α以上で第１プリズム３０内に進入した光は、切替部材５０まで到達すると、これを透過して第２プリズム４０を通じて第２の透明性板材１０ｂから室内側に出射されることとなる。よって、直達光を利用して室内に照明効果をもたらすことができる。
【００９８】
さらに、所定角度α未満で第１プリズム３０内に進入した光についても第２の透明性板材１０ｂから室内側へ出射されることとなる。
【００９９】
このようにして、第２実施形態に係る再帰反射窓２によれば、第１実施形態と同様に、眺望性を維持しつつも直達光を遮断して太陽側に反射させることができると共に、直達光の利用性を高めることができる再帰反射窓２を提供することができる。
【０１００】
また、切替部材５０は、白濁化した反射状態と透明化した非反射状態とが、温度環境、又は電圧印加状況に応じて切り替えられる部材によって構成されているため、白濁化したときに直達光を遮断して太陽側に反射させ、透明化したときに直達光を室内に取り込むことができる。よって、直達光の利用性を高めることができる。
【０１０１】
次に、本発明の第３実施形態を説明する。第３実施形態に係る再帰反射窓は第１実施形態のものと同様であるが、一部構成が異なっている。なお、以下の説明において第１実施形態と同一又は同様の要素には同じ符号を付して説明を省略する。
【０１０２】
図１０は、第３実施形態に係る再帰反射窓３を示す一部構成図である。なお、図１０において切替部材５０は積層体Ｌの積層方向から見た状態を図示している。図１０に示すように、第３実施形態に係る再帰反射窓３は、切替部材５０を反射状態と非反射状態とで切り替えるための動作機構７０，８０を備えている。なお、第３実施形態では第１動作機構７０と第２動作機構８０との２つの動作機構７０，８０を備える例を説明するが、第３実施形態に係る再帰反射窓３はいずれか一方のみの動作機構７０，８０を有するものであってもよい。
【０１０３】
まず、第３実施形態において切替部材５０は、透明性の中空部材５３を備え、中空部材５３内に白色又は銀色液体が封入された反射状態と、透明性液体が封入された非反射状態とで、切替可能とされたものである。このような切替部材５０は、中空部材５３の一端側から透明性液体を投入可能となっており、他端側から白色又は銀色液体を投入可能となっている。なお、切替部材５０は、中空部材５３の内部に２液体を隔離するゼリー状のゲルピグ５４が設けられている。
【０１０４】
第１動作機構７０は、ユーザ操作によって切替部材５０を、反射状態と非反射状態とで切り替えるためのものであって、上プーリ７１と、下プーリ７２と、ラダーコード７３と、操作部７４と、複数の液体収納容器７５と、複数の可撓管７６とを備えている。
【０１０５】
上プーリ７１及び下プーリ７２は、それぞれ再帰反射窓３の上部側と下部側とに設けられた滑車部材である。ラダーコード７３は、上プーリ７１及び下プーリ７２に対して巻き回された無端状の紐部材である。このラダーコード７３には、操作部７４と複数の液体収納容器７５とが取り付けられている。
【０１０６】
操作部７４は、例えば内部磁石７４ａと外部磁石７４ｂとを備えている。内部磁石７４ａは、２枚の板材１０と周端部材２０とによって形成される内部空間に配置される磁石部材であって、ラダーコード７３に接続されている。外部磁石７４ｂは、室内側に位置する第２の透明性板材１０ｂを介して内部磁石７４ａと引き合っている。内部磁石７４ａ及び外部磁石７４ｂは例えばネオジム磁石等の強力磁石で構成されている。
【０１０７】
液体収納容器７５は、上下に延在するラダーコード７３に沿って上下に並んで複数個設けられ、透明性液体を収納する容器である。液体収納容器７５は切替部材５０の数と同数設けられており、各液体収納容器７５は、屈曲性を有する可撓管７６を通じて各切替部材５０の一端に接続されている。
【０１０８】
第２動作機構８０は、ユーザの操作によらず自動で切替部材５０を、反射状態と非反射状態とで切り替えるためのものであって、コード部材８１と、ウェイトＷと、形状記憶合金バネ８２と、グリスケース８３と、伝熱グリスＧと、複数の液体収納容器８４と、複数の可撓管８５とを備えている。
【０１０９】
コード部材８１は、第１の透明性板材１０ａから突出する三角突起Ｐに上端が取り付けられ、下端にウェイトＷが取り付けられた紐部材である。形状記憶合金バネ８２は、周囲温度に応じて伸縮可能な部材である。この形状記憶合金バネ８２は、コード部材８１の間に介在されており、グリスケース８３内に収納されている。また、グリスケース８３の内部は伝熱グリスＧが充填されている。更にグリスケース８３は一方の透明性板材１０ａに接触して設けられている。
【０１１０】
液体収納容器８４は、上下に延在するコード部材８１に沿って上下に並んで複数個設けられ、白色又は銀色液体が収納された容器である。液体収納容器８４は切替部材５０の数と同数設けられており、各液体収納容器８４は、屈曲性を有する可撓管８５を通じて各切替部材５０の他端に接続されている。
【０１１１】
次に、第３実施形態に再帰反射窓３の動作を説明する。まず、夏場に外気温が高い状態になっているとする。この場合、外気温は、第１の透明性板材１０ａからグリスケース８３及び伝熱グリスＧを通じて形状記憶合金バネ８２に伝わり、形状記憶合金バネ８２は緊張状態となる。形状記憶合金バネ８２が緊張状態となると、コード部材８１が引き上げられて複数の液体収納容器８４についても引き上げられる。
【０１１２】
この状態でユーザが操作部７４の外部磁石７４ｂを上方移動させると、ラダーコード７３を通じて複数の液体収納容器７５が下方移動する。この結果、白色又は銀色液体が収納された液体収納容器８４の位置が高くなり、透明性液体が収納された液体収納容器７５の位置が低くなる。
【０１１３】
よって、液体収納容器８４の白色又は銀色液体がゲルピグ５４を一端側に押し込んで、切替部材５０は反射状態となる。切替部材５０が反射状態となると、第１及び第２実施形態と同様に、直達光は太陽側に反射させられることとなる。
【０１１４】
一方、冬場に外気温が低い状態になっているとする。この場合、外気温は、第１の透明性板材１０ａからグリスケース８３及び伝熱グリスＧを通じて形状記憶合金バネ８２に伝わり、形状記憶合金バネ８２は弛緩状態となる。形状記憶合金バネ８２が弛緩状態となると、コード部材８１が下げられて複数の液体収納容器８４についてもその位置が下がることとなる。
【０１１５】
この状態でユーザが操作部７４の外部磁石７４ｂを下方移動させると、ラダーコード７３を通じて複数の液体収納容器７５が上方移動する。この結果、白色又は銀色液体が収納された液体収納容器８４の位置が低くなり、透明性液体が収納された液体収納容器７５の位置が高くなる。
【０１１６】
よって、液体収納容器７５の透明性液体がゲルピグ５４を他端側に押し込んで、切替部材５０は非反射状態となる。切替部材５０が非反射状態となると、第２実施形態と同様に、直達光が室内側に取り込まれることとなる。
【０１１７】
このようにして、第３実施形態に係る再帰反射窓３によれば、第１実施形態と同様に、眺望性を維持しつつも直達光を遮断して太陽側に反射させることができると共に、直達光の利用性を高めることができる再帰反射窓３を提供することができる。
【０１１８】
さらに、第３実施形態によれば、切替部材５０は、透明性の中空部材５３によって構成され、白色又は銀色液体が封入された反射状態と、透明性液体が封入された非反射状態とが切替可能とされているため、白色又は銀色液体が封入されたときに直達光を遮断して太陽側に反射させ、透明性液体が封入されたときに直達光を室内に取り込むことができる。よって、直達光の利用性を高めることができる。
【０１１９】
以上、実施形態に基づき本発明を説明したが、本発明は上記実施形態に限られるものではなく、本発明の趣旨を逸脱しない範囲で、変更を加えてもよいし、可能な範囲で適宜他の技術を組み合わせてもよい。さらに、可能な範囲で公知又は周知の技術を組み合わせてもよい。
【０１２０】
例えば、本実施形態においては再帰反射窓１〜３を立面に用いる例を説明したが、再帰反射窓１〜３は立面に限らず傾斜面（例えば屋根面）に用いられてもよい。図１１は、再帰反射窓１〜３を傾斜面に用いたときの例を示す概略側面図である。図１１に示すように、再帰反射窓１〜３は、例えば日本においては北側に傾斜する傾斜面に用いられてもよい。このような場合であっても、立面時における所定角度との関係から、上記光路ＯＰ１〜ＯＰ８等を実現することができるからである。
【０１２１】
また、上記実施形態において再帰反射窓１〜３は、第１の透明性板材１０ａと第２の透明性板材１０ｂとの２層構造となっているが、３層目以上の透明性板材を備えていてもよい。
【０１２２】
また、第２実施形態においては、白濁化した反射状態と透明化した非反射状態とを切り替えているが、これに限らず、白濁化した反射状態と黒色化した吸収状態（吸収率７０％以上）とを切り替えるように構成されていてもよい。この場合、切替部材５０は例えば磁気泳動式の電子ペーパー等の部品によって構成すればよい。なお、この例においては、第１実施形態と同様に切替部材５０を第２プリズム４０に接触させたり、切替部材５０を利用して熱媒を加熱したりして、直達光を熱に変えたうえで室内に取り込むことができる。
【０１２３】
また、第３実施形態についても同様に、白色又は銀色液体が封入された反射状態と、黒色液体が封入された吸収状態（吸収率７０％以上）とを切り替えるように構成されていてもよい。この場合、液体収納容器８４には黒色系液体を封入されることとなる。
【符号の説明】
【０１２４】
１〜３      ：再帰反射窓
１０ａ  ：第１の透明性板材
１０ｂ  ：第２の透明性板材
３０    ：第１プリズム（三角柱プリズム）
３０ａ  ：第１の辺
３０ｂ  ：第２の辺
３０ｃ  ：第３の辺
４０    ：第２プリズム（第２三角柱プリズム）
４０ａ  ：第４の辺
４０ｂ  ：第５の辺
４０ｃ  ：第６の辺
５０    ：切替部材
５１    ：反射層
５２    ：吸収層
５３    ：中空部材
６０    ：回転機構
Ｌ      ：積層体（平板体）
Ｎ      ：法線
ＯＰ１〜ＯＰ８  ：第１〜第８光路
α      ：所定角度
【図１】
2019139040.tif 000003
【図２】
2019139040.tif 000004
【図３】
2019139040.tif 000005
【図４】
2019139040.tif 000006
【図５】
2019139040.tif 000007
【図６】
2019139040.tif 000008
【図７】
2019139040.tif 000009
【図８】
2019139040.tif 000010
【図９】
2019139040.tif 000011
【図１０】
2019139040.tif 000012
【図１１】
2019139040.tif 000013